【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
少なくとも第１構成要素と第２構成要素（１８，２０）とから形成されている適応断熱材料（１４）であって、第１構成要素と第２構成要素（１８，２０）とがつなぎ合わされており、且つ、第１構成要素と第２構成要素とが、熱膨張率の異なる第１材料と第２材料とからそれぞれ構成されていることにより、温度変化に応じて形状が変化するよう構成されている適応断熱材料（１４）を含む、適応断熱材であって、
少なくとも第１構成要素（１８）が第１材料から形成されたシート（２４；３０）を含み、
第２構成材料（２０）がシート（２４；３０）の一部のみに接合されており、スリット又は開口（２８）が開放構成と閉鎖構成との間で遷移するように第１構成要素と第２構成要素とのうちの少なくとも一方により画定されている、
適応断熱材。
【請求項２】
第１材料と第２材料との両方が、長手方向に延在している、請求項１に記載の適応断熱材。
【請求項３】
第１材料と第２材料とのうちの少なくとも一方の、相対位置、形状及び大きさのうちの少なくとも１つが、長手方向において変化している、請求項２に記載の適応断熱材。
【請求項４】
第１要素と第２要素の各々が中立温度を有し、要素が、中立温度からの温度変化に伴って形状変化するよう構成されている、請求項１に記載の適応断熱材。
【請求項５】
第１構成要素が、互いに分離し且つ第２材料から形成された中間部材（３４）によって接合されている２枚のシート（３０）を含む、請求項１に記載の適応断熱材。
【請求項６】
第２構成要素が、シート上に配置されて、互いに離間している複数の第２材料の細片を含む、請求項１に記載の適応断熱材。
【請求項７】
第２構成要素が、第１材料のシートに沿って延在する繊維の縫い目を含む、請求項１に記載の適応断熱材。
【請求項８】
少なくとも第１構成要素と第２構成要素とから形成されている断熱材料が、非適応断熱材料の部分に接着されている、請求項１に記載の適応断熱材。
【請求項９】
第２構成要素（２０）が第２材料から形成されたシートを含み、且つ各シートが１つ以上のタブ（３２）を画定する、請求項１に記載の適応断熱材。
【手続補正２】
【補正対象書類名】明細書
【補正対象項目名】００４５
【補正方法】変更
【補正の内容】
【００４５】
ここに記載されている発明の数多くの変更及びその他の実施形態は、上記説明及び関連する図面に提示されている教示の恩恵を受けて、これら発明の属する技術分野における当業者により想到されるであろう。したがって、発明は、開示されている特定の実施形態に限定されるべきではなく、且つ、変更及びその他の実施形態は、添付の請求項の範囲内に含まれるよう意図されていることは理解されるべきである。ここでは特定の用語を使用しているが、これらは、一般的且つ記述的意味においてのみ用いられており、限定目的で用いられているのではない。
また、本発明は以下に記載する態様を含む。
（態様１）
少なくとも第１構成要素と第２構成要素とから形成されている断熱材料であって、第１構成要素と第２構成要素とがつなぎ合わされており、且つ、第１構成要素と第２構成要素とが、熱膨張率の異なる第１材料と第２材料とからそれぞれ構成されていることにより、温度変化に応じて形状が変化するよう構成されている断熱材料と、
少なくとも第１構成要素と第２構成要素とから形成されている断熱材料と一体化されている非適応断熱材料と
を含む適応断熱材。
（態様２）
複数の繊維から構成されており、繊維の一部が第１構成要素と第２構成要素とから形成されている、態様１に記載の適応断熱材。
（態様３）
各繊維が、温度変化に応じて変形するよう構成されている、態様２に記載の適応断熱材。
（態様４）
第１材料と第２材料との両方が、それぞれの繊維に沿って長手方向に延在している、態様１に記載の適応断熱材。
（態様５）
第１材料と第２材料とのうちの少なくとも一方の、相対位置、形状及び大きさのうちの少なくとも１つが、それぞれの繊維に沿った長手方向において変化している、態様４に記載の適応断熱材。
（態様６）
複数の繊維の各々が中立温度を有し、繊維が、中立温度からの温度変化に伴って形状変化するよう構成されており、且つ、複数の繊維が、第１の中立温度と、それとは異なる第２の中立温度とをそれぞれ有する繊維の第１の組と第２の組とを含む、態様１に記載の適応断熱材。
（態様７）
少なくとも第１構成要素が、第１材料から形成されているシートを含む、態様１に記載の適応断熱材。
（態様８）
第２構成要素が、シート上に配置されて、互いに離間している複数の第２材料の細片を含む、態様７に記載の適応断熱材。
（態様９）
第１構成要素と第２構成要素とのうちの少なくとも一方が、断熱材料の形状変化に応じて開放構成と閉鎖構成との間で変化する少なくとも１つの開口を画定する、態様８に記載の適応断熱材。
（態様１０）
第２構成要素が、シートの一部のみに接合されており、且つ第２構成要素を形成する第２材料が、第１材料とは異なる熱膨張率を有する、態様７に記載の適応断熱材。
（態様１１）
第２構成要素が、第１材料のシートに沿って延在する繊維の縫い目を含む、態様１０に記載の適応断熱材。
（態様１２）
少なくとも第１構成要素と第２構成要素とから形成されている断熱材料が、非適応断熱材料の部分に接着されている、態様１に記載の適応断熱材。
（態様１３）
適応断熱材の形成方法であって、
少なくとも第１構成要素と第２構成要素とから断熱材料を形成することであって、第１構成要素と第２構成要素とをつなぎ合わせ、且つ第１構成要素と第２構成要素とが熱膨張率の異なる第１材料と第２材料とからそれぞれ構成されていることにより、断熱材料が温度変化に応じて形状が変化するよう構成されることと、
少なくとも第１構成要素と第２構成要素とから形成された断熱材料を非適応断熱材料と一体化することと
を含む、適応断熱材の形成方法。
（態様１４）
断熱材料を形成することが、複数の繊維から断熱材料を形成することを含み、繊維の一部が第１構成要素と第２構成要素とから形成されている、態様１３に記載の方法。
（態様１５）
複数の繊維の一部が中立温度を有し、繊維が、中立温度からの温度変化に伴って形状変化するよう構成されており、且つ、複数の繊維から断熱材料を形成することが、第１の中立温度と、それとは異なる第２の中立温度とをそれぞれ有する繊維の第１の組と第２の組とから断熱材料を形成することを含む、態様１４に記載の方法。
（態様１６）
第１構成要素が第１材料から形成されているシートを含み、第２構成要素が複数の第２材料の細片を含み、且つ、断熱材料を形成することが、シートに対し、互いに離間された状態の複数の細片を接合することを含む、態様１３に記載の方法。
（態様１７）
第１構成要素と第２構成要素とのうちの少なくとも一方に少なくとも１つの開口を画定することをさらに含み、この少なくとも１つの開口が、断熱材料の形状変化に応じて開放構成と閉鎖構成との間で変化するよう構成されている、態様１６に記載の方法。
（態様１８）
第１構成要素が、第１材料から形成されたシートを含み、断熱材料を形成することが、シートの一部のみに第２構成要素を接合することを含み、且つ、第２構成要素を形成する第２材料が、第１材料とは異なる熱膨張率を有する、態様１３に記載の方法。
（態様１９）
適応断熱材料を非適応断熱材料と一体化することが、少なくとも第１構成要素と第２構成要素とから形成されている適応断熱材料を非適応断熱材料の部分に接着することを含む、態様１３に記載の方法。